(57)【要約】【課題】衛生的かつ安全な状態で、医療器具に接続するための保護接続装置の提供。【解決手段】本発明は、外側部品を備える医療用移送接続装置に関連し、内側部品は、外側部品に入れ子式に配置され、バリア部材を有する内側部品は、外側部品において、バリア部材が遮蔽位置と、洗浄位置との間で軸方向に可動であり、バリア部材（１２）が遮蔽位置にあるときに端部開口が開いて第１の医療器具および第２の医療器具の一つを受け入れ、内側部品の第１の端部は、医療用移送接続装置の第１の端部を形成し、外側部品の第２の端部は、医療用移送接続装置の第２の端部を形成し、第１の端部が第１の医療器具および第２の医療器具の一つと連結した後に、第２の端部が第１の医療器具および第２の医療器具の他の一つと連結することができ、第１の医療器具および第２の医療器具の他の一つが穿刺部材を備える。【選択図】図３
2018122165.tif 000002
【特許請求の範囲】
【請求項１】
第１の医療器具を第２の医療器具に接続するための医療用移送接続装置（１）であって、
第１の端部（８）、端部開口（１０）のある第２の端部（９）を有する外側部品（２）を備え、
バリア部材（１２）を保持し、かつ中心管（７）を有する内側部品（３）は、前記外側部品（２）に入れ子式に配置され、
前記バリア部材（１２）は前記中心管７に延び、前記中心管（７）を密封し、
前記バリア部材（１２）を有する前記内側部品（３）は、前記外側部品（２）において、前記バリア部材（１２）が前記外側部品（２）に位置付けされる遮蔽位置と、前記バリア部材（１２）の少なくとも一部が前記外側部品（２）の前記端部開口（１０）を過ぎて軸方向に延びる状態で前記バリア部材（１２）が位置付けされる洗浄位置との間で軸方向に可動であり、
前記バリア部材（１２）が前記遮蔽位置にあるときに前記端部開口（１０）が開いて前記第１の医療器具および前記第２の医療器具の一つを受け入れ、  
前記内側部品（３）の第１の端部（５）は、前記医療用移送接続装置（１）の第１の端部を形成し、
前記外側部品（２）の第２の端部（９）は、前記医療用移送接続装置（１）の第２の端部（９）を形成し、
前記第１の端部（５）が前記第１の医療器具および前記第２の医療器具の一つと連結した後に、前記第２の端部（９）が前記第１の医療器具および前記第２の医療器具の他の一つと連結することができ、
前記第１の医療器具および前記第２の医療器具の他の一つが穿刺部材を備えることを特徴とする医療用移送接続装置。
【請求項２】
前記医療用移送接続装置は、軸方向（Ａ）を有し、
前記外側部品（２）は、前記第１の端部（８）および前記第２の端部（９）間で前記軸方向に延びる穴（４）を有し、
前記バリア部材（１２）は、前記穴（４）に前記軸方向に可動であることを特徴とする請求項１に記載の医療用移送接続装置。
【請求項３】
前記遮蔽位置において、前記バリア部材（１２）が前記外側部品（２）の前記穴（４）の中に完全に位置付けされることを特徴とする請求項２に記載の医療用移送接続装置。
【請求項４】
前記医療用移送接続装置は、軸方向（Ａ）を有し、
前記内側部品（３）の前記中心管（７）は前記軸方向（Ａ）に延びることを特徴とする請求項１に記載の医療用移送接続装置。
【請求項５】
前記外側部品（２）は、前記外側部品（２）の開口に設置されるロック縁を有し、
前記内側部品（３）は、当接面（１７）を有するばね支柱（１５）を有し、
前記バリア部材（１２）が前記洗浄位置に、前記ばね支柱（１５）の前記当接面（１７）は、前記ロック縁と接触して前記ロック縁の真下の位置にあることを特徴とする請求項１に記載の医療用移送接続装置。
【請求項６】
前記外側部品（２）は、少なくとも１つの軸方向に延びる溝（２２、２５）を備え、
前記内側部品（３）は、前記外側部品（２）内で前記少なくとも１つの前記溝（２２、２５）に摺動係合するための手段（１５、１９）を備えることを特徴とする請求項１に記載の医療用移送接続装置。
【請求項７】
少なくとも１つの前記溝（２５）に摺動係合するための前記手段は、ばね支柱（１５）を備えることを特徴とする請求項６に記載の医療用移送接続装置。
【請求項８】
前記ばね支柱（１５）は、前記内側部品（３）の第２の端部（６）側へ延び、前記医療用移送接続装置（１）を通る中心軸（１６）に対してわずかに外側に傾斜されることを特徴とする請求項７に記載の医療用移送接続装置。
【請求項９】
少なくとも１つの前記溝（２２）に摺動係合するための前記手段は突起（１９）を備えることを特徴とする請求項６，７、または８に記載の医療用移送接続装置。
【請求項１０】
前記溝（２２）および前記突起（１９）は、前記医療用移送接続装置（１）の前記外側部品（２）および前記内側部品（３）間にバヨネット嵌合を形成することを特徴とする請求項９に記載の医療用移送接続装置。
【請求項１１】
前記医療用移送接続装置は、前記内側部品（３）を前記遮蔽位置に解放可能にロックするための手段（２４）を備えることを特徴とする請求項１〜１０のいずれか一項に記載の医療用移送接続装置。
【請求項１２】
前記内側部品を前記遮蔽位置に解放可能にロックするための前記手段はロック突起（２４）であることを特徴とする請求項１１に記載の医療用移送接続装置。
【請求項１３】
前記医療用移送接続装置は、前記内側部品（３）を前記洗浄位置に解放可能にロックするための手段を備えることを特徴とする請求項１〜１２のいずれか一項に記載の医療用移送接続装置。
【請求項１４】
前記医療用移送接続装置（１）は、前記第１の医療器具に接続するための接続手段（２０、２１）を備えることを特徴とする請求項１〜１３のいずれか一項に記載の医療用移送接続装置。
【請求項１５】
前記医療用移送接続装置（１）は、前記第２の医療器具に接続するための接続手段を備え、
前記第２の医療器具は、前記医療用移送接続装置（１）が前記遮蔽位置にあるときに前記バリア部材（１２）を穿刺するように配置された前記穿刺部材を備えることを特徴とする請求項１〜１４のいずれか一項に記載の医療用移送接続装置。
【請求項１６】
前記内側部品（３）は、接続手段（２０、２１）を備えることを特徴とする請求項１４に記載の医療用移送接続装置。
【請求項１７】
前記バリア部材（１２）が前記洗浄位置にある時、前記接続手段（２０、２１）は、前記外側部品（２）に位置決めされることを特徴とする請求項１６に記載の医療用移送接続装置。
【発明の詳細な説明】
【技術分野】
【０００１】
本発明は、衛生的かつ安全な状態で、第１の医療器具を第２の医療器具に接続するための保護接続装置に関する。
【背景技術】
【０００２】
薬剤調製、薬剤投与、または他の同様の医薬品の取扱いに関する主な問題は、医療従事者および薬剤師が、周囲空気に流出し得る薬剤または溶剤に晒される危険があることである。この問題は、細胞毒素、抗ウイルス剤、抗生物質、および放射性医薬品に関する場合に特に深刻である。ウイルス感染症等に関する試料を採取する際には、他の危険が生じ得る。
【０００３】
一部の薬剤は、投与前に溶解または希釈されなければならず、これは、溶剤を１つの容器から、粉末状または液状の薬剤を含む密封されたバイアルへ、例えば針によって移送することを伴う。バイアル内部と周囲大気との間に圧力差が存在する場合、バイアルから針を引き抜く間、および針がバイアル内にある間、薬剤は気体として、またはエアロゾル化により、意図せず大気中へ放出されるおそれがある。
【０００４】
これらの理由で、安全状態を高めた、薬剤および他の医療物質を取り扱い、投与するためのシステムが開発されている。
【０００５】
特許文献１は、１つの容器から第２の容器へ物質を移送するときに空気汚染を防止するための流体移送装置を開示する。装置は、容器に取り付けられ、または接続可能であり、中空針等の穿刺部材が封入された第１の部材を備える。第１の部材は、針が通過可能な密封部材を有する。装置は第２の部材をさらに備え、第２の部材は、第１の部材に取外し可能に接続することができ、さらに密封部材を保持する。第１の部材および第２の部材が互いに接続されると、２つの密封部材が互いに対する位置に位置付けられて、密封部材に対して可動な穿刺部材により、それらが貫通され得るようにする。
【０００６】
本明細書に開示された安全性の高い移送接続装置で使用される密封部材は、可撓性の弾性圧縮可能な、液体および気体を通さない膜であり、これは、液体成分および気体成分の流出を防止するために、穿刺部材の貫通および後退後にぴったりと密封することのできるバリアまたはセプタムとしても知られる。
【０００７】
一般に使用される密封部材は、熱可塑性エラストマーポリマー材料（ＴＰＥ）から作製されて、超音波溶着等の熱溶着により、部材が接続装置内に取り付けられるようにすることができる。
【先行技術文献】
【特許文献】
【０００８】
【特許文献１】米国特許第４，５６４，０５４号明細書
【発明の概要】
【発明が解決しようとする課題】
【０００９】
医療用移送接続装置は、例えば医薬品の個々の用量をバイアルから取り出すとき、または注射装置をカテーテル、静脈注射装置等に接続するときに、繰り返し断続的に使用されるように設計される。各移送接続装置は、最終的に廃棄または交換される前に、最大１０回等の多数回使用されることが珍しくない。装置は、使用後、次の使用まで、密封部材が環境に晒された状態で数時間置かれることがしばしばあり得る。接続装置は、無菌でない環境、ならびに病棟等の、細菌および他の危険物質による汚染の危険性が高くなり得る環境で使用される。接続装置はこのような状態で長時間使用されるおそれがあるため、密封部材で細菌が成長する危険に直面している。したがって、特に最後に使用してから長時間経過している場合、装置および特に装置の密封部材は、毎回新たに使用する前に洗浄されることが非常に望ましい。使用前に密封部材を十分に洗浄しないと、細菌が医療用移送システム内に入り、最終的に患者に送られて、苦痛を生じさせ、医療費を増加させる危険がある。
【００１０】
したがって、医薬品等の流体の取扱いを伴う医療機器で使用するための医療用移送接続装置であって、容易かつ効率的に洗浄され得る医療用移送接続装置が必要である。
【課題を解決するための手段】
【００１１】
本発明によれば、第１の医療器具を第２の医療器具に接続するための医療用移送接続装置であって、軸方向および半径方向を有し、第１の端部、端部開口のある第２の端部、ならびに前記第１の端部および前記第２の端部間で前記軸方向に延びる穴を有する外側部品を備え、バリア部材を保持し、かつ前記軸方向に延びる中心管を有する内側部品は、前記外側部品の前記穴に入れ子式に配置され、前記バリア部材を有する前記内側部品は、前記外側部品の前記穴の中において、前記バリア部材が前記外側部品の前記穴の中に完全に位置付けされる遮蔽位置と、前記バリア部材の少なくとも一部が前記外側部品の前記端部開口を過ぎて軸方向に延びる状態で前記バリア部材が位置付けされる洗浄位置との間で軸方向に可動である、医療用移送接続装置が提供される。
【００１２】
前記遮蔽位置では、前記移送接続装置の前記内側部品が前記外側部品の内側に完全に位置付けされ、前記バリア部材が前記外側部品によって半径方向に遮蔽される。前記洗浄位置では、前記バリア部材が前記移送接続装置の前記外側部品から突出し、洗浄のために容易に接近可能となる。洗浄後、前記内側部品は前記移送接続装置の前記外側部品内へ後退され得、これにより前記移送接続装置が使用できる状態になり、前記バリア部材が穿刺部材によって安全かつ衛生的に穿刺され得る。２つの医療装置間で物質を移送するための前記装置の使用中に、前記外側部品は前記バリア部材および前記穿刺部位を汚染から保護する役割を果たし、前記穿刺部材を保持する前記医療装置の安定接続または支持を形成する。前記装置の前記内側部品の前記中心管は、第１の医療装置の穿刺部材を前記移送接続装置に通すことができ、第２の医療装置から流体を除去するため、または前記第２の医療装置に流体を送達するためにそれが前記第２の医療装置に挿入されるときに、前記穿刺部材を案内および遮蔽する役割を果たす。
【００１３】
したがって、本発明によれば、前記移送接続装置の前記内側部品および前記外側部品が互いに対して移動され得るため、前記内側部品の前記バリア部材は、それが容易に洗浄可能な位置へ移動され得る。当技術分野で公知の移送接続装置においては、前記バリア部材の洗浄は、前記移送接続装置内側の前記バリア部材に到達する綿チップを使用して行われる。それが前記移送接続装置内側の固定位置にあるため、前記バリア部材のすべての露出部分に到達して、これらを効率的に洗浄することは困難である。本発明による移送接続装置では、前記バリア部材が洗浄位置に置かれたときに、前記バリア部材が単純な拭取りによって迅速かつ十分に洗浄され得る。
【００１４】
本発明による前記移送接続装置の前記外側部品および前記内側部品の相対的な伸縮運動は、任意の適切な方法で達成され得る。
【００１５】
例えば、前記装置の前記外側部品は少なくとも１つの軸方向に延びる溝を備えることができ、前記内側部品は前記外側部品の少なくとも１つの溝に摺動係合するための対応する手段を備えることができる。
【００１６】
前記少なくとも１つの溝に摺動係合するための手段は、ばね支柱、突起、隆起、または前記内側部品から突出する同様の要素を備えることができる。
【００１７】
前記外側部品の溝に摺動係合するための前記手段がばね支柱を備えるとき、前記ばね支柱は前記内側部品の前記第２の端部側へ延びていてもよく、前記移送接続装置を通る中心軸に対してわずかに外側に傾斜されていてもよい。少なくとも２つのばね支柱が前記移送接続装置の前記内側部品に配置されることが好ましいとされ得る。２つ以上のばね支柱が使用されている場合、それらが前記内側部品に対称に配置されることが好ましい。例えば、２つのばね支柱が、前記内側部品上で互いに直径方向に対向して配置されることが好ましい。
【００１８】
前記少なくとも１つの溝に摺動係合するための前記手段は、１または複数の突起を備えることができる。１または複数のばね支柱に加えて、または１または複数のばね支柱の代わりに、前記１または複数の突起が使用されてもよい。
【００１９】
前記外側部品の前記溝および前記突起は、前記移送接続装置の前記外側部品および前記内側部品間にバヨネット嵌合を形成するように構成されてもよい。
【００２０】
前記移送接続装置は、前記内側部品を前記遮蔽位置に解放可能にロックするための手段を備えることができる。さらに、前記移送接続装置は、前記内側部品を前記洗浄位置に解放可能にロックするための手段を備えることができる。前記ロック手段は、バヨネット嵌合、または、当技術分野で公知のように、前記外側部品の前記穴に配置された、止め切欠き、止め突起、スナップロック等の止め要素であってもよい。
【００２１】
前記移送接続装置は、前記装置を医療バイアル、カテーテル等の第１の医療装置に接続するための手段を備えることができる。
【００２２】
前記移送接続装置は、前記装置を、穿刺部材を備える第２の医療装置に接続するための接続手段を備えることができる。
【００２３】
定義
「滅菌した」または「無菌」装置とは、生存微生物を除去するために滅菌方法を受けた装置を意味し、この方法は関連機関により現行製品について認められているものである。医療装置を「無菌」と指定するため欧州の現行規則は、欧州標準ＥＮ５５８−１に見られる。他の国では他の規則が存在し得る。滅菌は、エチレンオキシド滅菌、放射線による滅菌、または（湿）熱滅菌、または任意の他の認められた方法であってよい。欧州標準要件は、滅菌した装置に生存微生物が存在する理論上の可能性が１×１０-6以下であることを意味する。
【００２４】
本発明の移送接続装置のバリア部材は、「可撓性」、「拡張性」、および「圧縮性」と呼ばれる材料から作製される。本明細書で使用される場合、これらの表現は、外力の影響下で弾性的に屈曲、拡張または圧縮可能であり、外力が除去されると実質的に元の状態に戻る材料を意味するものである。「可撓性」材料とは、手で容易に折り畳まれ、ねじられ、もしくは湾曲され得る材料、または、ＩＳＯ４７２：１９９９「プラスチック−用語」の定義による破壊または可視欠陥の発生なしで、繰り返し屈曲および／もしくは湾曲され得る材料を意味するものである。
【００２５】
本明細書で使用される場合、「エラストマー」は、弱い応力および応力の解除による実質的な変形後にその最初の寸法および形状に迅速に戻る高分子材料を意味する。この定義は室温試験条件下で当てはまり、ＩＳ０４７２：１９９９に見られる。
【００２６】
移送接続装置の部品は、当技術分野で公知のように、比較的剛性のプラスチックから成形されてもよい。本発明の目的の剛性プラスチック材料は、通常の使用中にその形状を保持し、遮蔽位置および洗浄位置間で移送接続装置を操作するのに必要な力、または装置を第１の医療装置および第２の医療装置に接続するのに必要な力によって、屈曲または変形されない材料である。しかしながら、本発明による移送接続装置で有用な剛性プラスチック材料は、移送接続装置の組立中に生じる力等のより大きな力によって弾性的に屈曲および変形可能であることが好ましい。
【図面の簡単な説明】
【００２７】
以下の添付図面を参照しながら、本発明についてさらに詳細に説明する。
【図１】使用中の構成における移送接続装置を示す図である。
【図２】図１の移送接続装置の端面図である。
【図３】図１の移送接続装置の分解図である。
【図４】図１の移送接続装置の外側部品の斜視図である。
【図５】図１の移送接続装置の内側部品の側面図である。
【図６】図２の線ＶＩ−ＶＩに沿って取った、図１の移送接続装置の横断面図である。
【図７】図２の線ＶＩＩ−ＶＩＩに沿って取った、図１の移送接続装置の横断面図である。
【図８】図２の線ＶＩ−ＶＩに沿って取った、洗浄位置における図１の移送接続装置の横断面図である。
【図９】図２の線ＶＩＩ−ＶＩＩに沿って取った、洗浄位置における図１の移送接続装置の横断面図である。
【発明を実施するための形態】
【００２８】
図１〜図９に示す医療用移送接続装置１は、全体が細長の管状を有し、内側部品３が外側部品２の中心穴４に挿入された状態で入れ子式に配置された外側部品２および内側部品３を備える。移送接続装置１は、軸方向Ａおよび軸方向Ａに垂直な半径方向Ｒを有する。内側部品３は、第１の端部５、第２の端部６、および軸方向Ａに延び、外側部品２の中心穴４に同心に配置された中心通過管（中心管）７を有する。外側部品２は、第１の端部８および端部開口１０のある第２の端部９を有し、中心穴４が第１の端部８と第２の端部９との間で延びる。内側部品３の中心管７は、外側部品２の第１の端部８に位置付けされた別の医療装置に穿刺部材を挿入する間、外側部品２の第２の端部９に位置決めされた医療装置上で穿刺部材を案内し保護するように配置される。
【００２９】
内側部品３はバリア部材１２を保持し、このバリア部材１２は、図６および図７に最もよく見られるように、内側部品３の第２の端部６で、内側部品３の中心管７に当てられて中心管７を密封する。バリア部材は、本明細書で開示されるように、可撓性の弾性圧縮可能な膜またはセプタムであり、バリア部材１２の一側からバリア部材１２の他側への望ましくない物質の移送に対してバリアを形成する役割を果たして、２つの医療装置間の衛生的かつ安全な接続を確実にする。本発明のバリア部材は、当技術分野で公知のように、医療グレードのエラストマーポリマー材料から作製され得る。このような材料の例として、シリコーンエラストマー、天然エラストマー、および熱可塑性エラストマーポリマー材料（ＴＰＥ）が挙げられる。熱可塑性エラストマーの例として、スチレンブロックコポリマー（ＴＰＳ）、熱可塑性ポリオレフィン（ＴＰＯ）、熱可塑性ポリウレタン（ＴＰＵ）、コポリエステル、およびポリエーテルブロックアミドが挙げられる。
【００３０】
特に図２、図３、図５を参照すると、内側部品３は２つのばね支柱１５を有する円筒体１４を備え、ばね支柱１５は、内側部品３の第２の端部へ向かって延び、移送接続装置１を通る中心軸１６に対してわずかに外側に傾斜している。ばね支柱１５は、互いに直径方向に対向して配置され、移送接続装置１の外側部品２の対応する当接面と協働するように配置された当接面１７を有する自由端でそれぞれ終端する。ばね支柱１５はロック部材および案内要素の両方としての役割を果たし、本明細書に開示されたようなこのような機能を果たす他の手段と置き換えられてもよい。ばね支柱の機能は、異なるロック要素および案内要素を使用することにより別個に行われてもよい。互いに対向して配置された２つのばね支柱を使用することが好ましいとされ得るが、１つのばね支柱のみを使用することが考えられる。２つ以上のばね支柱が使用されている場合、ばね支柱が内側部品上で対称に配置されることが好ましい。
【００３１】
バリア部材ホルダ１８は、内側部品３の第２の端部６に配置される。弾性バリア部材は、一般に、熱可塑性エラストマーポリマー材料（ＴＰＥ）から作製されて、部材が超音波溶着によってバリア部材ホルダに取り付けられるようにすることができる。しかしながら、他のタイプの医療グレードのエラストマー材料が使用されてもよく、当業者に公知の任意の手段によってバリア部材が内側部品に取り付けられてもよい。バリア部材ホルダ１８はバリア部材１２を保持し、移送接続装置１の外側部品２の対応する溝と協働するように配置された、２つの半径方向に対向する突起１９をさらに備える。
【００３２】
内側部品３の第１の端部５は、内側部品３の円筒体１４から延びる雄コネクタ２０を備える。内側部品３の円筒体１４の内側は、内ねじ２１を備える。雄コネクタおよび内ねじは、カテーテル等の嵌合する医療装置と接続するための手段を構成する。本明細書に示す特定の接続手段は、本発明を限定するものと考えられるべきではなく、移送接続装置が装着される医療装置に応じて、他の接続手段が使用されてもよいことを理解されたい。
【００３３】
図４に示すように、移送接続装置１の外側部品２は対向する溝２２を備えており、これらの溝２２は、外側部品２の内壁２３に形成され、内側部品３の対応する突起１９とバヨネット嵌合を形成するように配置される。ロック突起２４が外側部品２の内壁に配置されて、内側部品３が外側部品２の遮蔽位置に解放可能にロックされた状態で維持する。移送接続装置１の内側部品３上のばね支柱１５と協働する案内トラック２５も、外側部品２の軸方向に配置される。本発明の範囲内で、ねじ結合等の、外側部品２と内側部品３との代わりの結合が使用されてもよい。さらに、ロック突起２４は、外側部品２の壁に配置された弾性的に可撓性のロック舌等の別のロック要素に置き換えられてもよい。
【００３４】
内側部品３のばね支柱１５は、内側に押されたときに、半径方向Ｒにわずかに内側に湾曲され得る。本明細書に開示されたもの以外の案内要素およびロック手段の他の構成が本発明の範囲内で考えられるが、本明細書に開示されたばね支柱１５が有する利点は、それらにより、外側部品２の第２の端部９の端部開口１０から外側部品２の中心穴４へ内側部品３を押し込むことによって、移送接続装置１が容易に組み立てられ得ることである。内側部品３は、ばね支柱１５が外側部品２の壁２３のロック縁２６を通り過ぎるまで、外側部品２に押し込まれる。内側部品３が外側部品２に入ると、ばね支柱１５は最初に半径方向に押し合わされて、外側部品２の中心穴４に嵌入するためにわずかに湾曲する。ばね支柱１５の傾斜構成により、内側部品３を外側部品２内へ案内するのを助ける。外側部品２の内側の所定位置に押し込まれると、外側部品２のロック縁２６の真下に位置するばね支柱１５の当接面１７によって、ばね支柱１５が弛緩した張力のかからない位置へ跳ね返ることにより、内側部品３が外側部品２から外れて落下することが禁止される。ばね支柱１５がロック縁２６の真下の位置にある状況が図９に最もよく示され、ここでは、バリア部材１２が外側部品２の中心穴４の口で端部開口１０から突出するように、第２の端部６が外側部品２の第２の端部９に位置決めされた状態で、内側部品３が配置される様子を示す。図８および図９に示されるように、外側部品２内での内側部品３の位置は、移送接続装置１の洗浄位置に対応する。
【００３５】
内側部品３は、遮蔽位置および洗浄位置間で、外側部品２の穴４の中において軸方向に可動である。遮蔽位置は、図１、図６、図７に示され、移送接続装置１が動作可能であり、装置間で流体を移送するための２つの医療装置を接続するために使用され得る「使用中」位置でもある。
【００３６】
遮蔽位置において、バリア部材１２が、移送接続装置１の外側部品２内に完全に引き込まれ、外側部品２の壁により半径方向に遮蔽され保護されるように外側部品２の穴４の中に位置付けされる。遮蔽位置にあるときに、内側部品は外側部品２に関連して移動されて、図１に示すように内側部品３の第１の端部５が外側部品の第１の端部８で外側部品２から突出する状態で、内側部品３の第２の端部６が外側部品２の第１の端部８に位置付けされるようにする。これは、装置１が動作可能な遮蔽位置にあるときに、内側部品３の第１の端部５が装置１の第１の端部を形成し、外側部品２の第２の端部９が装置１の第２の軸方向反対側の端部を形成することを意味する。この構成では、移送接続装置１が、内側部品３の第１の端部５の雄コネクタ２０および内ねじ２１によって、カテーテル、バイアル、点滴バッグ、静脈注射装置、または別の医療用結合装置等の第１の医療装置に接続され得る。
【００３７】
内側部品および装置の第１の端部５に結合される医療装置のタイプに応じて、第１の端部の接続手段は、図示した雄コネクタおよび内ねじと異なっていてもよい。したがって、当技術分野で公知のように、任意のタイプのねじ結合、バヨネット嵌合、スナップロック、ロックリング、スライド嵌合、クランプ等が使用されてもよい。図示した実施形態により示されるように、同一または異なる構造の２つ以上のロック要素が組み合わされて使用されて、接続装置１と第１の医療装置との結合を生じさせてもよい。同様の考察が、接続装置１の反対側端部と、第２の医療装置をその反対側端部に結合する結合要素を設けることに適用される。
【００３８】
移送接続装置１が第１の医療装置に接続されると、それは続いて穿刺部材を保持する第２の医療装置に接続され得る。第２の医療装置は、外側部品２および移送接続装置１の第２の端部で移送接続装置１に接続される。第２の医療装置は、シリンジ、別の接続装置、針保護装置等の穿刺装置であってもよい。
【００３９】
洗浄位置においては、ばね支柱１５の当接面１７が外側部品２の開口でロック縁２６に接触するまで、内側部品３を外側部品２の穴４の中で摺動させることによって、バリア部材１２が外側部品２の第２の端部９に移動される。図示した例では、バリア部材が摩擦力によって洗浄位置に保持される。希望に応じて、バリア部材を洗浄位置に解放可能にロックするための１または複数の要素が、装置に設けられていてもよい。このようなロック要素は、当技術分野で公知のように、ロック舌、ロック突起、ロック縁等であってもよい。洗浄位置において、バリア部材１２は、移送接続装置１の軸方向Ａで、移送接続装置１の外側部品２の少なくとも部分的に外側に位置付けされ、移送接続装置１が動作可能な遮蔽位置に戻される前に容易に洗浄され得る。
【００４０】
特許請求の範囲内における本発明のさらなる修正が、当業者に明らかであろう。例えば、本明細書に開示されたロックおよび案内機構は、本発明から逸脱することなく、異なって設計され構成されてもよい。
【図１】
2018122165.tif 000003
【図２】
2018122165.tif 000004
【図３】
2018122165.tif 000005
【図４】
2018122165.tif 000006
【図５】
2018122165.tif 000007
【図６】
2018122165.tif 000008
【図７】
2018122165.tif 000009
【図８】
2018122165.tif 000010
【図９】
2018122165.tif 000011